(57)【要約】      （修正有）【課題】術中記録の登録における時刻の設定を簡便にするプログラム、装置および方法を提供する。【解決手段】登録装置１は、特定の術中記録の登録を受け付ける際に、登録画面上に表示された登録済みの他の術中記録に対応する位置に対する操作を検知する。登録装置１は、他の術中記録に対応する位置に対する操作を検知すると、他の術中記録に対応付けて記憶された時刻を取得する。そして、登録装置１は、取得された時刻を、特定の術中記録に対応付ける時刻として設定する。【選択図】図１
2018194977.tif 000002
【特許請求の範囲】
【請求項１】
特定の術中記録の登録を受け付ける際に、画面上に表示された登録済みの他の術中記録に対応する位置に対する操作を検知し、
前記他の術中記録に対応付けて記憶された時刻を取得し、
取得された前記時刻を、前記特定の術中記録に対応付ける時刻として設定する、
処理をコンピュータに実行させることを特徴とする登録プログラム。
【請求項２】
前記他の術中記録に対応付けて記憶された時刻を利用するモードの指定を受け付け、
該指定に応じて、前記操作の検知および前記時刻の設定を実行する、
ことを特徴とする請求項１に記載の登録プログラム。
【請求項３】
設定される前記時刻は、変更可能な仮設定であり、確定操作により本設定される、
ことを特徴とする請求項１に記載の登録プログラム。
【請求項４】
前記他の術中記録は、所定の時間軸に対応付けられたグラフとして前記画面に表示されている、
ことを特徴とする請求項１に記載の登録プログラム。
【請求項５】
前記他の術中記録は、登録済みの術中記録を時系列の順に並べた一覧に含まれる、
ことを特徴とする請求項１に記載の登録プログラム。
【請求項６】
特定の術中記録の登録を受け付ける際に、画面上に表示された登録済みの他の術中記録に対応する位置に対する操作を検知する検知部と、
前記他の術中記録に対応付けて記憶された時刻を取得する取得部と、
取得された前記時刻を、前記特定の術中記録に対応付ける時刻として設定する設定部と、
を有することを特徴とする登録装置。
【請求項７】
特定の術中記録の登録を受け付ける際に、画面上に表示された登録済みの他の術中記録に対応する位置に対する操作を検知し、
前記他の術中記録に対応付けて記憶された時刻を取得し、
取得された前記時刻を、前記特定の術中記録に対応付ける時刻として設定する、
処理をコンピュータが実行することを特徴とする登録方法。
【発明の詳細な説明】
【技術分野】
【０００１】
本発明は、登録プログラムなどに関する。
【背景技術】
【０００２】
手術中に患者に対して投与される薬剤の情報などを術中記録として登録を受け付ける装置が知られている（例えば、特許文献１参照）。かかる術中記録には、例えば投与される薬剤の情報に、投与される時刻が対応付けられている。
【先行技術文献】
【特許文献】
【０００３】
【特許文献１】特開２０１６−２４７９３号公報
【発明の概要】
【発明が解決しようとする課題】
【０００４】
ところで、従来の装置では、上記した時刻の情報は、例えばユーザの数字入力によって術中記録ごとに設定される。そのため、例えば複数の術中記録が登録される場合、時刻の情報は、複数の術中記録のそれぞれについて１つ１つユーザの数字入力によって設定される。しかしながら、上記のような数字入力による時刻の設定は、ユーザにとって不便である。
【０００５】
１つの側面では、術中記録の登録における時刻の設定を簡便にすることを目的とする。
【課題を解決するための手段】
【０００６】
１つの態様では、登録プログラムは、特定の術中記録の登録を受け付ける際に、画面上に表示された登録済みの他の術中記録に対応する位置に対する操作を検知し、前記他の術中記録に対応付けて記憶された時刻を取得し、取得された前記時刻を、前記特定の術中記録に対応付ける時刻として設定する処理をコンピュータに実行させる。
【発明の効果】
【０００７】
登録プログラムの１つの態様によれば、術中記録の登録における時刻の設定を簡便にすることができる。
【図面の簡単な説明】
【０００８】
【図１】図１は、実施例に係る登録装置の構成を示す機能ブロック図である。
【図２】図２は、実施例に係る術中記録ＤＢのデータ構造の一例を示す図である。
【図３】図３は、実施例に係る術中記録の登録画面の一例を示す図である。
【図４】図４は、実施例に係る術中記録の登録画面の一例を示す図である。
【図５】図５は、実施例に係る術中記録の登録画面の一例を示す図である。
【図６】図６は、実施例に係る登録処理のフローチャートを示す図である。
【図７】図７は、登録プログラムを実行するコンピュータの一例を示す図である。
【発明を実施するための形態】
【０００９】
以下に、本願の開示する登録プログラム、登録装置および登録方法の実施例を図面に基づいて詳細に説明する。なお、実施例によりこの発明が限定されるものではない。
【実施例】
【００１０】
［登録装置の構成］
図１は、実施例に係る登録装置の構成を示す機能ブロック図である。実施例に係る登録装置１は、特定の術中記録の登録を受け付ける際に、画面上に表示された登録済みの他の術中記録に対する所定の操作を検知すると、他の術中記録に対応付けて記憶された時刻を取得する。そして、登録装置１は、取得された時刻を、特定の術中記録に対応付ける時刻として設定する。術中記録とは、例えば手術中または手術前後に、所定の患者に対して投与された薬剤の情報や施された処置の内容などの記録である。かかる術中記録には、例えば薬剤が投与された時刻や処置が施された時刻が対応付けられている。
【００１１】
図１に示すように、登録装置１は、制御部１０と、記憶部２０とを有する。
【００１２】
制御部１０は、各種の処理手順を規定したプログラムや制御データを格納するための内部メモリを有し、これらによって種々の処理を実行する。そして、制御部１０は、例えば、ＡＳＩＣ（Application  Specific  Integrated  Circuit）やＦＰＧＡ（Field  Programmable  Gate  Array）等の集積回路またはＣＰＵ（Central  Processing  Unit）やＭＰＵ（Micro  Processing  Unit）等の電子回路に対応する。そして、制御部１０は、表示部１１と、操作検知部１２と、時刻取得部１３と、時刻設定部１４と、術中記録登録部１５とを有する。なお、操作検知部１２は検知部の一例である。時刻取得部１３は取得部の一例である。時刻設定部１４は設定部の一例である。
【００１３】
記憶部２０は、例えばフラッシュメモリ（Flash  Memory）やＦＲＡＭ（登録商標）（Ferroelectric  Random  Access  Memory）等の不揮発性の半導体メモリ素子等の記憶装置に対応する。そして、記憶部２０は、薬剤名・処置内容ＤＢ（DataBase）２１と、術中記録ＤＢ２２とを有する。
【００１４】
薬剤名・処置内容ＤＢ２１は、手術の際、患者に対して投与される可能性のある薬剤の名称や、施される可能性のある処置の内容に関する情報を薬剤・処置情報として予め記憶する。なお、患者に対して施される可能性のある処置には、例えば麻酔処置、気管挿管処置など種々の処置が含まれる。
【００１５】
術中記録ＤＢ２２は、所定の患者の術中記録を記憶する。ここで、術中記録ＤＢ２２のデータ構造を、図２を参照して説明する。
【００１６】
図２は、実施例に係る術中記録ＤＢ２２のデータ構造の一例を示す図である。図２に示すように、術中記録ＤＢ２２は、患者ＩＤ（identification）２２ａに対応付けて薬剤名・処置内容２２ｂおよび時刻２２ｃを含んで記憶する。患者ＩＤ２２ａは、患者を識別する識別子を示す。薬剤名・処置内容２２ｂは、手術中に患者に対して投与された薬剤名や施された処置内容を示す。時刻２２ｃは、対応する薬剤が投与された時刻や、対応する処置が施された時刻を示す。なお、術中記録ＤＢ２２は、後述する術中記録登録部１５によって登録された術中記録を記憶する。
【００１７】
一例として、患者ＩＤ２２ａが「０１２３４５」である場合に、薬剤名・処置内容２２ｂとして「処置Ａ」、時刻２２ｃとして「８：５２」と記憶している。患者ＩＤ２２ａが「０１２３４５」である場合に、薬剤名・処置内容２２ｂとして「薬剤Ａ投与」、時刻２２ｃとして「９：０２」と記憶している。
【００１８】
図１に戻って、表示部１１は、術中記録の登録を受け付ける画面（以下「登録画面」と記載する場合がある）を表示する。例えば、表示部１１は、登録画面を起動し、薬剤名・処置内容ＤＢ２１から薬剤・処置情報を取得し、取得した薬剤・処置情報を薬剤・処置一覧として登録画面内に表示する。なお、上記では、表示部１１は、薬剤名・処置内容ＤＢ２１に記憶された薬剤・処置情報を表示するようにしたが、これに限定されるものではなく、例えばユーザによって入力された任意の薬剤名や処置内容を、薬剤・処置一覧に表示するようにしても良い。
【００１９】
また、表示部１１は、術中記録ＤＢ２２から既に登録された術中記録を取得し、取得した登録済みの術中記録を登録画面内に表示する。例えば、表示部１１は、登録済みの術中記録を時系列の順に並べて履歴一覧として登録画面内に表示しても良い。
【００２０】
また、表示部１１は、登録済みの術中記録を所定の時間軸に対応付けられたグラフを含むチャート欄として登録画面内に表示しても良い。なお、表示部１１は、チャート欄に、登録済みの術中記録をグラフに対応させて並べたグラフ対応欄を含めて表示しても良い。
【００２１】
表示部１１は、後述する操作検知部１２によって薬剤・処置一覧に対するユーザの操作が検知されると、かかる操作に対応する薬剤や処置に関する情報が入力される画面（以下「記録入力画面」と記載する場合がある）を起動する。
【００２２】
操作検知部１２は、登録画面や記録入力画面に対するユーザの操作を検知する。例えば、操作検知部１２は、登録画面に対して行われる、術中記録の登録指示を示す操作を検知する。
【００２３】
具体的には、例えばユーザは、登録画面の薬剤・処置一覧に表示された薬剤・処置情報の中から、術中記録として登録したい薬剤・処置情報を選択する操作を行う。操作検知部１２は、かかる操作を登録指示操作として検知する。詳しくは、操作検知部１２は、登録画面の薬剤・処置一覧に表示された薬剤・処置情報のうち、ユーザによって選択された薬剤・処置情報に対応する位置に対する操作を登録指示操作として検知する。
【００２４】
また、例えば、操作検知部１２は、登録指示操作を検知した後、登録画面上に表示された登録済みの他の術中記録に対応する位置に対する操作を検知する。詳しくは、例えばユーザが、術中記録の登録を行う際に、登録済みの他の術中記録の時刻を利用することを所望する場合がある。かかる場合、操作検知部１２は、登録画面の履歴一覧やチャート欄に表示された登録済みの他の術中記録のうち、ユーザによって選択された術中記録に対応する位置に対する操作を術中記録選択操作として検知する。
【００２５】
なお、操作検知部１２は、記録入力画面に対する所定の操作（例えば後述するチャート時刻ボタンの押下）を検知することで、登録済みの他の術中記録に対応付けて記憶された時刻を利用するモードの指定を受け付けても良い。以下では、かかるモードを「時刻利用モード」と記載する場合がある。そして、操作検知部１２は、時刻利用モードの指定を受け付けた場合に、術中記録選択操作の検知を実行するようにしても良い。
【００２６】
時刻取得部１３は、操作検知部１２によって術中記録選択操作が検知されると、選択された他の術中記録に対応付けて記憶された時刻を取得する。なお、時刻取得部１３は、例えば術中記録選択操作が検知されずに、記録入力画面から時刻が数字入力される場合、数字入力された時刻を取得しても良い。
【００２７】
そして、時刻取得部１３は、取得した他の術中記録の時刻を記録入力画面の時刻欄に反映させる。また、時刻取得部１３は、例えば、記録入力画面に対し、時刻を調整する調整入力があった場合、調整された時刻を取得して記録入力画面の時刻欄に反映させても良い。
【００２８】
時刻設定部１４は、時刻取得部１３によって取得された時刻を、登録を受け付けた特定の術中記録（例えば、登録指示操作によって術中記録として登録を受け付けた薬剤・処置情報）に対応付ける時刻として設定する。
【００２９】
これにより、時刻設定部１４は、術中記録の登録における時刻の設定を簡便にすることができる。すなわち、例えば、時刻設定部１４が、数字入力によって時刻を設定する構成のみであった場合、複数の術中記録の登録が行われる際、複数の術中記録のそれぞれについて１つ１つ数字入力によって時刻を設定することとなり、ユーザにとって不便である。
【００３０】
これに対し、本実施例に係る時刻設定部１４は、登録済みの他の術中記録に対応付けて記憶された時刻を、登録する術中記録に対応付ける時刻として設定するようにした。これにより、時刻設定部１４は、例えば複数の術中記録の登録が行われる場合であっても、他の術中記録の時刻を利用することができ、よって術中記録の登録における時刻の設定を簡便にすることができる。
【００３１】
時刻設定部１４は、時刻利用モードの指定を受け付けた場合に、選択された他の術中記録の時刻を特定の術中記録の時刻として設定しても良い。これにより、時刻設定部１４は、例えばユーザの意図しない時刻の設定が行われることを抑制することができる。
【００３２】
すなわち、時刻設定部１４は、時刻利用モードの指定を受け付け、登録済みの他の術中記録の時刻を利用することがユーザによって指示された場合に、他の術中記録の時刻を特定の術中記録の時刻として設定する。逆に言えば、時刻設定部１４は、時刻利用モードの指定を受け付けておらず、登録済みの他の術中記録の時刻を利用することがユーザによって指示されない場合、他の術中記録の時刻を特定の術中記録の時刻として設定しない。
【００３３】
そのため、例えばユーザが他の術中記録の時刻を利用することを所望していないときに、誤って術中記録選択操作を行った場合であっても、時刻設定部１４は、他の術中記録の時刻を特定の術中記録の時刻として設定しない。このように、時刻設定部１４は、ユーザの意図しない時刻の設定が行われることを抑制することができる。
【００３４】
なお、時刻設定部１４は、時刻利用モードの指定を受け付けない場合、数字入力された時刻を、特定の術中記録に対応付ける時刻として設定しても良い。
【００３５】
時刻設定部１４は、取得された時刻を、特定の術中記録に対応付ける時刻として設定する際、最初に設定される時刻は変更可能な仮設定であっても良い。そして、時刻設定部１４は、例えば記録入力画面に対して時刻を確定させることを示す確定操作（例えば後述する確定ボタンの押下）がなされた場合に、時刻を確定する本設定となるようにしても良い。
【００３６】
これにより、時刻設定部１４は、特定の術中記録に対応付ける時刻を、ユーザの所望する時刻に容易に一致させることができる。すなわち、例えば、ユーザが特定の術中記録に対応付けたい時刻と、取得した他の術中記録の時刻とで異なる場合がある。かかる場合であっても、時刻設定部１４は、例えば、取得された他の術中記録の時刻に対してユーザの調整入力がなされて時刻を変更した後、変更された時刻を特定の術中記録に対応付ける時刻として本設定することが可能となる。これにより、時刻設定部１４は、取得した他の術中記録の時刻がユーザの所望する時刻と異なっていても、特定の術中記録に対応付ける時刻を、ユーザの所望する時刻に容易に一致させることができる。
【００３７】
術中記録登録部１５は、術中記録を登録する。例えば、術中記録登録部１５は、記録入力画面に入力された特定の術中記録に対し、設定された時刻を対応付け、かかる特定の術中記録の情報を登録画面に反映させる。詳しくは、術中記録登録部１５は、特定の術中記録の情報を登録画面の履歴一覧やチャート欄に反映させる。また、術中記録登録部１５は、特定の術中記録の情報を術中記録ＤＢ２２に登録（保存）する。
【００３８】
［術中記録の登録画面の一例］
図３〜図５は、実施例に係る術中記録の登録画面の一例を示す図である。なお、登録画面Ｇ１は、例えば、画面上に表示される登録ボタン（図示せず）の押下などユーザの要求に応じて起動されるようにしても良いし、表示装置等に常時表示されるようにしても良い。
【００３９】
図３に示すように、登録画面Ｇ１には、薬剤・処置一覧ａ１と、履歴一覧ａ２と、チャート欄ａ３とが含まれる。表示部１１は、薬剤名・処置内容ＤＢ２１から取得した薬剤・処置情報を薬剤・処置一覧ａ１に表示する。表示部１１は、術中記録ＤＢ２２から取得した登録済みの術中記録を時系列の順に並べて履歴一覧ａ２に表示する。
【００４０】
表示部１１は、術中記録ＤＢ２２から取得した登録済みの術中記録をチャート欄ａ３に表示する。例えば、チャート欄ａ３には、登録済みの術中記録を所定の時間軸に対応付けられたグラフａ３１と、登録済みの術中記録をグラフａ３１に対応させて並べたグラフ対応欄ａ３２とが含まれる。
【００４１】
そして、表示部１１は、例えば、登録済みの術中記録のうち、薬剤の投与が開始された時刻や薬剤の総投与量など薬剤に関する情報をグラフａ３１やグラフ対応欄ａ３２に表示する。なお、表示部１１は、術中の患者の心拍や血圧などをグラフａ３１に表示しても良い。
【００４２】
表示部１１は、例えば薬剤・処置一覧ａ１に対する登録指示操作が操作検知部１２によって検知されると、記録入力画面Ｇ２を起動する。ここでは、例えば、操作検知部１２は、薬剤・処置一覧ａ１に表示された薬剤・処置情報の中から、薬剤Ｄの情報に対応する位置ａ１１に対する登録指示操作を検知するものとする。そして、表示部１１は、かかる登録指示操作に応じて、薬剤Ｄに関する情報等が入力される記録入力画面Ｇ２を起動する。
【００４３】
記録入力画面Ｇ２には、薬剤・処置情報入力欄ｂ１と、数字入力ボタンｂ２と、チャート時刻入力ボタンｂ３と、時刻欄ｂ４と、調整入力ボタンｂ５と、確定ボタンｂ６とが含まれる。
【００４４】
薬剤・処置情報入力欄ｂ１には、薬剤・処置一覧ａ１において登録指示操作がなされた薬剤または処置の情報が反映され、反映された薬剤または処置に関する情報が入力される。ここでは、薬剤・処置情報入力欄ｂ１には、薬剤Ｄの情報が反映され、例えば薬剤Ｄの希釈率や持続して投与される量など薬剤Ｄに関する種々の情報が入力されるものとする。
【００４５】
数字入力ボタンｂ２は、例えば、薬剤・処置情報入力欄ｂ１における薬剤Ｄの希釈率欄に対する数字入力や、登録される術中記録の時刻設定の際の数字入力を受け付ける。チャート時刻入力ボタンｂ３は、ユーザによって押下されると、時刻利用モードの指定を受け付ける。
【００４６】
時刻欄ｂ４には、登録される術中記録に対応付けられる時刻が表示される。調整入力ボタンｂ５は、時刻欄ｂ４の時刻を調整する調整入力を受け付ける。確定ボタンｂ６は、ユーザによって押下されると、時刻欄ｂ４の時刻を登録される術中記録に対応付ける時刻として確定させることを示す確定操作を受け付ける。
【００４７】
ここで、例えばユーザが、薬剤Ｄに関する術中記録の登録を行う際に、登録済みの他の術中記録の時刻を利用することを所望しているものとして、以下説明を続ける。先ず、操作検知部１２は、チャート時刻入力ボタンｂ３が押下され、時刻利用モードの指定を受け付ける。
【００４８】
なお、図４に示すように、表示部１１は、時刻利用モードの指定を受け付けた場合に、チャート時刻入力ボタンｂ３を着色して表示するなどしても良い。これにより、表示部１１は、時刻利用モードの指定を受け付けたことをユーザに対して認識させることが可能となる。なお、図４では、チャート時刻入力ボタンｂ３の着色をドットで示している。
【００４９】
続いて、操作検知部１２は、例えば履歴一覧ａ２に対する術中記録選択操作を検知する。ここでは、例えば履歴一覧ａ２に表示された登録済みの他の術中記録のうち、薬剤Ｂの投与に関する術中記録に対応する位置ａ２１に対する術中記録選択操作を検知したものとする。
【００５０】
そして、時刻取得部１３は、術中記録選択操作が検知されると、選択された他の術中記録（ここでは薬剤Ｂの投与に関する術中記録）に対応付けて記憶された時刻である「０９：０５」を取得する。そして、時刻取得部１３は、取得した他の術中記録の時刻である「０９：０５」を、記録入力画面Ｇ２の時刻欄ｂ４に反映させる。
【００５１】
ここで、術中記録選択操作がなされる他の術中記録は、登録済みの術中記録を時系列の順に並べた履歴一覧ａ２に含まれている。これにより、ユーザは、術中記録選択操作を容易に行うことができる。
【００５２】
すなわち、例えば、術中記録の登録は手術中に行われることが多いが、手術の状況等によっては、一部の術中記録の登録が手術後に行われることがある。そのような場合であっても、履歴一覧ａ２は登録済みの術中記録が時系列の順に並べられているため、ユーザは、履歴一覧ａ２で手術の流れを確認しながら、時刻を利用したい術中記録を選択することが可能となり、よって術中記録選択操作を容易に行うことができる。
【００５３】
なお、上記では、操作検知部１２は、履歴一覧ａ２に対する術中記録選択操作を検知するようにしたが、これに限定されるものではない。すなわち、図４に二点鎖線で示すように、操作検知部１２は、ユーザの操作に応じ、例えばチャート欄ａ３のグラフ対応欄ａ３２に対する術中記録選択操作を検知しても良い。ここでは、操作検知部１２は、グラフ対応欄ａ３２に表示された他の術中記録のうち、薬剤Ｂの投与に関する術中記録に対応する位置ａ３３に対する術中記録選択操作を検知したものとする。
【００５４】
そして、時刻取得部１３は、履歴一覧ａ２に対する術中記録選択操作が検知された場合と同様に、薬剤Ｂの投与に関する術中記録に対応付けて記憶された時刻である「０９：０５」を取得する。時刻取得部１３は、取得した時刻「０９：０５」を記録入力画面Ｇ２の時刻欄ｂ４に反映させる。
【００５５】
また、図示は省略するが、操作検知部１２は、ユーザの操作に応じ、例えばチャート欄ａ３のグラフａ３１に対する術中記録選択操作を検知しても良い。かかる場合であっても、時刻取得部１３は、グラフａ３１において術中記録選択操作がなされた他の術中記録に対応付けて記憶された時刻を取得し、取得した時刻を記録入力画面Ｇ２の時刻欄ｂ４に反映させる。
【００５６】
このように、術中記録選択操作がなされる他の術中記録は、所定の時間軸に対応付けられたグラフａ３１やグラフ対応欄ａ３２を含むチャート欄ａ３として画面に表示されている。これにより、ユーザは、術中記録選択操作を容易に行うことができる。すなわち、手術後に術中記録の登録が行われる場合であっても、ユーザは、グラフａ３１やグラフ対応欄ａ３２で手術の流れを確認しながら、時刻を利用したい術中記録を選択することが可能となり、よって術中記録選択操作を容易に行うことができる。
【００５７】
続いて、時刻取得部１３は、例えば、記録入力画面Ｇ２の調整入力ボタンｂ５が操作されてユーザによる調整入力があった場合、調整された時刻を取得して記録入力画面Ｇ２の時刻欄ｂ４に反映させる。図５に示す例では、時刻取得部１３は、調整入力ボタンｂ５の操作により、時刻欄ｂ４の時刻を「０９：０５」から「０９：０９」に調整したものとする。
【００５８】
続いて、時刻設定部１４は、例えば記録入力画面Ｇ２の確定ボタンｂ６が操作されて確定操作があると、時刻欄ｂ４の時刻を確定して本設定とする。そして、術中記録登録部１５は、記録入力画面Ｇ２に入力された術中記録（ここでは薬剤Ｄの投与に関する術中記録）に対し、本設定された時刻（ここでは「０９：０９」）を対応付け、かかる術中記録の情報を登録画面Ｇ１に反映させる。
【００５９】
図５に示す例では、術中記録登録部１５は、薬剤Ｄの投与に関する術中記録の情報を、登録画面Ｇ１の履歴一覧ａ２において対応する位置ａ２２や、チャート欄ａ３において対応する位置ａ３５に反映させる。
【００６０】
［術中記録の登録処理のフローチャート］
図６は、実施例に係る登録処理のフローチャートを示す図である。
【００６１】
図６に示すように、操作検知部１２は、登録画面Ｇ１の薬剤・処置一覧ａ１に対して術中記録の登録指示があったか否かを判定する（ステップＳ１０）。術中記録の登録指示がないと判定した場合には（ステップＳ１０；Ｎｏ）、操作検知部１２は、術中記録の登録指示があるまで、判定処理を繰り返す。
【００６２】
一方、術中記録の登録指示があったと判定した場合には（ステップＳ１０；Ｙｅｓ）、表示部１１は、記録入力画面Ｇ２を起動する（ステップＳ１１）。そして、操作検知部１２は、記録入力画面Ｇ２のチャート時刻入力ボタンｂ３に対して操作がなされ、時刻利用モードの指定があったか否かを判定する（ステップＳ１２）。
【００６３】
時刻利用モードの指定があったと判定した場合には（ステップＳ１２；Ｙｅｓ）、操作検知部１２は、登録画面Ｇ１に表示された登録済みの他の術中記録に対し、術中記録選択操作があったか否かを判定する（ステップＳ１３）。術中記録選択操作がないと判定した場合には（ステップＳ１３；Ｎｏ）、操作検知部１２は、術中記録選択操作があるまで、判定処理を繰り返す。
【００６４】
一方、術中記録選択操作があったと判定した場合には（ステップＳ１３；Ｙｅｓ）、時刻取得部１３は、術中記録選択操作がなされた他の術中記録に対応付けて記憶された時刻を取得する（ステップＳ１４）。そして、時刻取得部１３は、取得した他の術中記録の時刻を記録入力画面Ｇ２の時刻欄ｂ４に反映させる（ステップＳ１５）。
【００６５】
時刻取得部１３は、記録入力画面Ｇ２の調整入力ボタンｂ５が操作されて調整入力があったか否か判定する（ステップＳ１６）。調整入力があったと判定した場合には（ステップＳ１６；Ｙｅｓ）、時刻取得部１３は、調整された時刻を記録入力画面Ｇ２の時刻欄ｂ４に反映させるべく、ステップＳ１５に移行する。
【００６６】
一方、調整入力がないと判定した場合には（ステップＳ１６；Ｎｏ）、時刻設定部１４は、記録入力画面Ｇ２の確定ボタンｂ６に対して確定操作があったか否かを判定する（ステップＳ１７）。確定操作がないと判定した場合には（ステップＳ１７；Ｎｏ）、時刻設定部１４は、時刻の調整入力が新たに行われていないかを判定すべく、ステップＳ１６に移行する。
【００６７】
一方、確定操作があったと判定した場合には（ステップＳ１７；Ｙｅｓ）、時刻設定部１４は、時刻欄ｂ４の時刻を確定して本設定とする（ステップＳ１８）。そして、術中記録登録部１５は、登録する術中記録に対し、本設定された時刻を対応付け、かかる術中記録の情報を登録画面Ｇ１の履歴一覧ａ２やチャート欄ａ３に反映させる（ステップＳ１９）。術中記録登録部１５は、本設定された時刻が対応付けられた術中記録の情報を術中記録ＤＢ２２に保存する（ステップＳ２０）。
【００６８】
他方、時刻利用モードの指定がないと判定した場合には（ステップＳ１２；Ｎｏ）、時刻取得部１３は、記録入力画面Ｇ２の数字入力ボタンｂ２から数字入力された時刻を取得する（ステップＳ２１）。
【００６９】
時刻設定部１４は、記録入力画面Ｇ２に対して確定操作があったか否かを判定する（ステップＳ２２）。確定操作がないと判定した場合には（ステップＳ２２；Ｎｏ）、時刻設定部１４は、時刻の数字入力が新たに行われた場合に備えるべく、ステップＳ２１に移行する。一方、確定操作があったと判定した場合には（ステップＳ２２；Ｙｅｓ）、時刻設定部１４は、時刻を本設定とするべく、ステップＳ１８に移行する。そして、術中記録登録部１５は、術中記録の情報を登録画面Ｇ１に反映させるとともに、術中記録ＤＢ２２に保存するべく、ステップＳ１９，Ｓ２０に移行する。
【００７０】
［実施例の効果］
このようにして、上記実施例では、登録装置１は、特定の術中記録の登録を受け付ける際に、画面上に表示された登録済みの他の術中記録に対応する位置に対する操作を検知する。登録装置１は、他の術中記録に対応付けて記憶された時刻を取得する。そして、登録装置１は、取得された時刻を、特定の術中記録に対応付ける時刻として設定する。かかる構成によれば、登録装置１は、術中記録の登録における時刻の設定を簡便にすることができる。
【００７１】
また、上記実施例では、登録装置１は、他の術中記録に対応付けて記憶された時刻を利用するモードの指定を受け付け、該指定に応じて、操作の検知および時刻の設定を実行する。かかる構成によれば、登録装置１は、例えばユーザの意図しない時刻の設定が行われることを抑制することができる。
【００７２】
また、上記実施例では、登録装置１において設定される時刻は、変更可能な仮設定であり、確定操作により本設定される。かかる構成によれば、登録装置１は、取得した他の術中記録の時刻がユーザの所望する時刻と異なっていても、例えば時刻が調整された後に本設定されるようにすれば、設定される時刻を、ユーザの所望する時刻に容易に一致させることができる。
【００７３】
また、上記実施例では、登録装置１において、他の術中記録は、所定の時間軸に対応付けられたグラフａ３１として画面に表示されている。かかる構成によれば、例えば手術後に術中記録の登録が行われる場合であっても、ユーザは、グラフａ３１で手術の流れを確認しながら、時刻を利用したい術中記録を選択することが可能となり、よって術中記録選択操作を容易に行うことができる。
【００７４】
また、上記実施例では、登録装置１において、他の術中記録は、登録済みの術中記録を時系列の順に並べた一覧（履歴一覧ａ２）に含まれる。かかる構成によれば、例えば手術後に術中記録の登録が行われる場合であっても、ユーザは、一覧（履歴一覧ａ２）で手術の流れを確認しながら、時刻を利用したい術中記録を選択することが可能となり、よって術中記録選択操作を容易に行うことができる。
【００７５】
［プログラムなど］
なお、登録装置１は、既知のパーソナルコンピュータ、ワークステーションなどの情報処理装置に、上記した制御部１０および記憶部２０などの各機能を搭載することによって実現することができる。
【００７６】
また、図示した装置の各構成要素は、必ずしも物理的に図示の如く構成されていることを要しない。すなわち、装置の分散・統合の具体的態様は図示のものに限られず、その全部または一部を、各種の負荷や使用状況などに応じて、任意の単位で機能的または物理的に分散・統合して構成することができる。例えば、表示部１１と操作検知部１２とを１個の部として統合しても良い。また、薬剤名・処置内容ＤＢ２１および術中記録ＤＢ２２を登録装置１の外部装置としてネットワーク経由で接続するようにしても良い。
【００７７】
また、上記実施例で説明した各種の処理は、あらかじめ用意されたプログラムをパーソナルコンピュータやワークステーションなどのコンピュータで実行することによって実現することができる。そこで、以下では、図１に示した登録装置１と同様の機能を実現する登録プログラムを実行するコンピュータの一例を説明する。図７は、登録プログラムを実行するコンピュータの一例を示す図である。
【００７８】
図７に示すように、コンピュータ２００は、各種演算処理を実行するＣＰＵ２０３と、ユーザからのデータの入力を受け付ける入力装置２１５と、表示装置２０９を制御する表示制御部２０７とを有する。また、コンピュータ２００は、記憶媒体からプログラムなどを読取るドライブ装置２１３と、ネットワークを介して他のコンピュータとの間でデータの授受を行う通信制御部２１７とを有する。また、コンピュータ２００は、各種情報を一時記憶するメモリ２０１と、ＨＤＤ２０５を有する。そして、メモリ２０１、ＣＰＵ２０３、ＨＤＤ２０５、表示制御部２０７、ドライブ装置２１３、入力装置２１５、通信制御部２１７は、バス２１９で接続されている。
【００７９】
ドライブ装置２１３は、例えばリムーバブルディスク２１１用の装置である。ＨＤＤ２０５は、登録プログラム２０５ａおよび登録処理関連情報２０５ｂを記憶する。
【００８０】
ＣＰＵ２０３は、登録プログラム２０５ａを読み出して、メモリ２０１に展開し、プロセスとして実行する。かかるプロセスは、登録装置１の各機能部に対応する。登録処理関連情報２０５ｂは、薬剤名・処置内容ＤＢ２１および術中記録ＤＢ２２に対応する。そして、例えばリムーバブルディスク２１１が、登録プログラム２０５ａなどの各情報を記憶する。
【００８１】
なお、登録プログラム２０５ａについては、必ずしも最初からＨＤＤ２０５に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に当該プログラムを記憶させておく。そして、コンピュータ２００がこれらから登録プログラム２０５ａを読み出して実行するようにしても良い。
【符号の説明】
【００８２】
１  登録装置
１０  制御部
１１  表示部
１２  操作検知部
１３  時刻取得部
１４  時刻設定部
１５  術中記録登録部
２０  記憶部
２１  薬剤名・処置内容ＤＢ
２２  術中記録ＤＢ
【図１】
2018194977.tif 000003
【図２】
2018194977.tif 000004
【図３】
2018194977.tif 000005
【図４】
2018194977.tif 000006
【図５】
2018194977.tif 000007
【図６】
2018194977.tif 000008
【図７】
2018194977.tif 000009